(57)【特許請求の範囲】
【請求項１】
主配管に設けられた混合部と；  原液袋を内蔵したタンクと；  該タンクと前記主配管の混合部の上流側を連結する給水管と；  該原液袋と前記混合部とを連結する原液供給管と；を備えた泡消火設備であって；
前記タンクが主配管の下方に配設され、
前記原液供給管が、原液袋の頭部に連結された第２水平部と、該第2水平部に連結された第２垂直部と、該第２垂直部に連結され、前記タンクの底部の下方に位置する第１水平部と、該第１水平部に連続し、その先端が混合部に連結された第１垂直部と、から構成されていることを特徴とする泡消火設備の混合装置。
【請求項２】
前記第２垂直部に阻止弁を設けたことを特徴とする請求項１記載の泡消火設備の混合装置。
【発明の詳細な説明】
【０００１】
【発明の属する技術分野】
この発明は、泡消火設備の混合装置に関するもので、特に、隔膜加圧方式比例混合装置に関するものである。
【０００２】
【従来の技術】
従来の泡消火設備の混合装置は、主配管に設けられたプロポーショナと；原液袋を内蔵したタンクと；該タンクと前記主配管のプロポーショナの上流側を連結する給水管と；該原液袋と前記プロポーショナとを連結する原液供給管と；を備えている。
【０００３】
この従来例では、前記タンクが主配管の下方に配設され、原液供給管の後端はタンクの頭部に接続されている。
そのため、主配管に消火水が流れると、プロポーショナの喉部において静圧が低くなるため原液供給管内との圧力差が生じ、原液袋内の泡原液は主配管内に引き込まれて前記消火水に混入され泡水溶液が生成される。
【０００４】
【発明が解決しようとする課題】
ところが、混合装置が停止され、主配管への給水が停止されると、プロポーショナにおける圧力差が発生しなくなるので、原液供給管の泡原液は、消火水と泡原液の比重差による水頭差の影響で原液袋内に戻ろうとする。
そのため、主配管内の消火水、又は、泡水溶液は呼び込まれて原液袋内に流入してしまうので、泡原液が薄まってしまう。この薄くなった泡原液を主配管内に供給すると、設計した混合比の泡水溶液が得られなくなる。
【０００５】
そこで、水や泡水溶液が原液袋内に呼び込まれないようにするために、原液供給管に電動弁などの阻止弁が設けられている。
しかし、この電動弁では、主配管への給水を停止する前、又は、停止直後に閉弁しなければ、水又は泡水溶液が原液袋内に逆流する。
なお、逆流防止をするために原液供給管に逆止弁を設けることが考えられるが、比例混合装置は、プロポーショナの喉部と原液供給管との差圧に混合比がきわめて大きく影響を受けるので、差圧に影響を与える逆止弁を原液供給管に設けることは避けられている。
【０００６】
この発明は、前記事情に鑑み、主配管への給水停止時に阻止弁を即時に閉弁しなくとも該原液袋内に水や泡水溶液が流入しない様にすることを目的とする。
【０００７】
【課題を解決するための手段】
この発明は、主配管に設けられた混合部と；  原液袋を内蔵したタンクと；  該タンクと前記主配管の混合部の上流側を連結する給水管と；  該原液袋と前記混合部とを連結する原液供給管と；を備えた泡消火設備であって；
前記タンクが主配管の下方に配設され、  前記原液供給管が、原液袋の頭部に連結された第２水平部と、該第2水平部に連結された第２垂直部と、該第２垂直部に連結され、前記タンクの底部の下方に位置する第１水平部と、該第１水平部に連続し、その先端が混合部に連結された第１垂直部と、から構成されていることを特徴とする。
【０００８】
この発明の第２垂直部に阻止弁を設けたことを特徴とする。
【０００９】
【発明の実施の形態】
この発明は、蛋白泡原液や水成膜泡原液或いは合成界面活性剤泡原液等の泡原液の比重は消火水よりも大きく、該泡原液は該消火水より下方に溜まる、と言う特性を利用するものである。
【００１０】
即ち、タンクが主配管の下方に配設され、少なくとも原液供給管の一部が、前記タンクの底部より下方に位置しており、該原液供給管の前記一部より上流側又は前記一部に阻止弁を設け、主配管への給水の停止直後に消火水又は泡水溶液が原液袋に流入しない様にする。従って、給水停止直後に阻止弁を閉める必要はない。また、給水停止後、該水が該泡原液に拡散して混合する前に、阻止弁を閉じる。
【００１１】
【実施例】
この発明の第１実施例を図１、図２により説明するが、図１は、混合装置の起動時の状態を示す縦断面図、図２は混合装置の停止時の状態を示す縦断面図である。泡消火設備の混合装置Ｍには、主配管１に設けたベンチュリ喉部などの混合部と；該主配管１の下方に設けられたタンク３と；を備えている。
【００１２】
このタンク３の中には、ゴム製の原液袋５が設けられている。
原液袋５の上部５ａは、タンク３の頭部３ａに固定され、その下部５ｂはタンク３の底部３ｂに固定されている。原液袋５には、泡原液、例えば、比重1.1の水成膜泡原液６が充填されている。
【００１３】
タンク３の底部３ｂは、原液供給管８を介して混合部２に連結されている。  この供給管８は原液袋５の下部５ｂにおいて原液袋５の内側を連通していて、原液袋５の内部での供給管８には泡原液６の送出口が設けられている。
この供給管８は原液袋５の下部５ｂにおいて原液袋５の内側を連通していて、原液袋５の内部での供給管８には泡原液６の送出口が設けられている。また、この供給管８は、タンク３外において垂直部８ａと水平部８ｂとを備えている。
【００１４】
垂直部８ａの先端は、混合部２に接続され、その後端はタンク３の底部３ｂの下方まで伸びている。水平部８ｂは前記垂直部８ａに連続され、タンク３の底部３ｂの下方に位置している。水平部８ｂには、手動式の阻止弁１０が設けられているが、この阻止弁１０には、逆止弁は含まれていない。
【００１５】
タンク３の胴部は、給水管１２を介して主配管１に接続されているが、その接続位置は、混合部２の上流側である。
【００１６】
次に、本実施例の作動について説明する。
混合装置Ｍの起動：
図示しないポンプを起動して手動操作により阻止弁１０を開くと、主配管１に消火水Ｗが圧送される。
この時、混合部２のベンチュリ喉部と原液供給管８との間で圧力差が発生する。
それと同時に主配管１の圧力が給水管１２を介してタンク３内の原液袋５に作用して、原液袋５内の泡原液６を押し出しながら主配管１の消火水Ｗは給水管１２を介してタンク３内に注入される。
そうすると、原液袋５内の泡原液６は、原液供給管８から混合部２を介して主配管１内に流入し消火水Ｗに混入するので、泡水溶液Ｗ2が生成される（図１参照）。  この泡水溶液Ｗ2は、主配管１に接続された泡ヘッド（図示しない）に供給され発泡する。なお、タンク３内に注入された消火水Ｗは泡原液より比重が小さいので、タンク３の上の方からたまっていく。
【００１７】
混合装置Ｍの停止：
主配管１への給水を停止すると、混合部２での圧力差が無くなるので、原液供給管８の泡原液６は、比重差による水頭差の影響で原液袋５内に戻ろうとする。
そのため、原液供給管８の垂直部８ａに先端側つまり混合部２側から消火水Ｗが流入するが、水頭差Ｈの位置Ｌで消火水Ｗと泡原液６とのバランスがとれ、安定した状態となるので、消火水Ｗはそれ以上流下することはない（図２参照）。
【００１８】
ここで、水頭差Ｈの位置、即ち、バランス位置Ｌは、送出された後にタンク３内に残された泡原液６が原液袋５のままタンク３の下に溜まる時の泡原液６層の上面位置である。この泡原液層とはタンク３内壁全周において原液袋５がほとんど密着している部分である。
よって、このバランス位置Ｌは、すべてに泡原液６が送出されたときの位置、即ち、タンク３の底部３ｂの位置が最も低く、これよりも低い位置をとることはない。もし、原液袋５がなければ混合装置Ｍの起動中はタンク３内の泡原液６が送出された後、泡原液６は、原液供給管８内からも、タンク３内の消火水Ｗにより押し出されてしまうが、原液袋５があるため、原液供給管８内の泡原液は押し出されない。この最も低い場合のバランス位置Ｌは、原液袋５の最下位位置、即ち、タンク３の底部３ｂの位置Ｌ’となる。
第１実施例では、この位置Ｌ’よりも下方に位置する原液供給管８の部分８ｚが存在している。
すると、少なくとも原液供給管８の一部（即ち前記部分８ｚ）がタンク３の底部３ｂの位置Ｌ’よりも下方に位置しているので、上記理由で混合部２からの消火水Ｗが部分８ｚを経て原液袋５内に混入することはなく前記部分８ｚにも流入することはない。
従って、前記給水停止直後に阻止弁１０を閉じなくとも、原液袋５内に消火水Ｗが流れ込むことはないので、急いで阻止弁１０を閉じる必要はない。この阻止弁１０は、拡散現象により消火水Ｗが前記部分８ｚ内の泡原液６に拡散混合される前に閉じれば良いのである。
【００１９】
この発明の第２実施例を図３により説明するが、この実施例と第１実施例との相違点は、次の通りである。即ち、
(1)原液供給管１８が、先端が混合部２に接続され、後端がタンク３の底部３ｂ位置Ｌ’より下方に伸びる第１垂直部１８ａと、該垂直部１８ａの後端に接続し、タンク３の底部３ｂ位置Ｌ’より下方に位置する第１水平部１８ｂと、該水平部１８ｂの後端に接続された第２垂直部１８ｃと、該第２垂直部１８ｃとタンク頭部及び原液袋５の頭部５ａとを接続する第２水平部１８ｄと、から構成されていること。
(2)阻止弁２０が、第２垂直部１８ｃに配設されているこ。また、タンク３の底部の位置Ｌ’より下方に位置する前記原液供給管１８の部分８ｚが存在していること。
(3)混合装置Ｍを停止した場合、第１実施例と同様に消火水Ｗは原液供給管１８の部分１８ｚを通って原液袋５に流入することはなく、該部分１８ｚに流入することもない。
【００２０】
この発明の実施例は、上記に限定されるものではなく、例えば、原液供給管は傾斜管やフレーキ管でもよく、少なくとも原液供給管の一部をタンクの底部より下方に位置させれば、本発明の効果を得ることができる。
また、阻止弁は、水頭差の安定位置、即ち、消火水と泡原液の安定位置、より上流側に配設すればよい。
なお、上記実施例において前記一部８ｚ、１８ｚの消火水Ｗと泡原液との境界部は多少攪拌されているので、阻止弁１０，２０，は前記境界部から十分離れた位置か、前記一部８ｚ、１８ｚより上流側に設けるようにすると、阻止弁１０，２０の上流側に消火水Ｗが混合することはない。
【００２１】
【発明の効果】
この発明は、以上のように構成したので、主配管への給水が停止され混合部での圧力差が無くなっても、消火水は原液供給管の水頭差の位置まで流入すると、安定状態となりそれ以上流下することはない。そのため、泡原液に消火水や泡水溶液が混入することはない。
【００２２】
また、主配管への給水停止直後に阻止弁を閉じなくとも、泡原液に消火水や泡水溶液が混入することがないので、閉弁作業が容易となる。
【図面の簡単な説明】
【図１】本実施例の第１実施例を示す縦断面図で、混合装置の起動時の状態を示す図である。
【図２】混合装置の停止時の状態を示す縦断面図である。
【図３】本実施例の第２実施例を示す縦断面図で、図２に相当する図である。
【符号の説明】
１    主配管
２    混合部
３    タンク
５    原液袋
６    泡原液
８    原液供給管
１０    阻止弁
【図１】
0003921653.tif 000002
【図２】
0003921653.tif 000003
【図３】
0003921653.tif 000004